(57)【要約】【課題】ドレン排出後の注水を以てドレン残留を判定し、ユーザーにドレン排出を促すことにある。【解決手段】熱交換で生じたドレン（Ｄ）をドレンタンク（１０）に溜め循環路（１２）を通して浴槽（１４）より排出するドレン排出に関し、浴槽栓（１６）を開栓した浴槽の排水タイミング、またはドレンがドレンタンクの基準レベル（Ｄｒｅｆ、上位レベルＨｒｅｆ）を超えかつ浴槽水（ＢＷ）のポンプ循環で水流発生がないことを確認したタイミングの何れか一方でドレン排出を行う工程と前記ドレン排出後、注水する工程と、一定量の注水により循環口（２２）の一部または全部が水没すれば、浴槽内にドレンが残留していることを表すアラート情報を出力し、または浴槽への注水を停止する工程を含んでいる。【選択図】図１
2018200165.tif 000002
【特許請求の範囲】
【請求項１】
熱交換で生じたドレンをドレンタンクに溜め循環路を通して浴槽より排出するドレン排出方法であって、
浴槽栓を開栓した浴槽の排水タイミング、またはドレンがドレンタンクの基準レベルを超えかつ浴槽水のポンプ循環で水流発生がないことを確認したタイミングの何れか一方でドレン排出を行う工程と、
前記ドレン排出後、注水する工程と、
一定量の注水により循環口の一部または全部が水没すれば、浴槽内にドレンが残留していることを表すアラート情報を出力し、または浴槽への注水を停止する工程と、
を含むことを特徴とするドレン排出方法。
【請求項２】
前記一定量は、浴槽栓を閉じ空状態の浴槽に注水し、前記循環口の一部または全部が水没する水量より少ない水量であることを特徴とする請求項１に記載のドレン排出方法。
【請求項３】
浴槽栓を開栓して浴槽を空状態にした後、浴槽栓を閉じて注水により、循環口の一部または全部を水没させる工程と、
空状態から循環口の一部または全部が水没する水量を計測し、この水量を記憶手段に記憶する工程と、
を含むことを特徴とする請求項１に記載のドレン排出方法。
【請求項４】
熱交換で生じたドレンをドレンタンクに溜め循環路を通して浴槽より排出するドレン排出装置であって、
浴槽栓を開栓した浴槽の排水タイミング、またはドレンがドレンタンクの基準レベルを超えかつ浴槽水のポンプ循環で水流発生がないことを確認したタイミングの何れか一方でドレン排出を行うドレン排出部と、
前記ドレン排出後、注水する注水部と、
を備え、注水により循環口の一部または全部が水没すれば、アラート出力部が浴槽内にドレンが残留していることを表すアラート情報を出力し、または前記浴槽への注水を停止することを特徴とするドレン排出装置。
【請求項５】
熱交換で生じたドレンをドレンタンクに溜め循環路を通して浴槽より排出するドレン排出機能を備える給湯装置であって、
燃料ガスの燃焼熱を給水に加熱して浴槽に給湯し、または該浴槽の浴槽水に燃焼熱を熱交換する熱交換手段と、
前記熱交換手段に生じたドレンを溜め、ドレンが基準レベルを超えたか否かを検出するレベルセンサーを備えるドレンタンクと、
前記浴槽への注水、前記浴槽水の循環、前記ドレンタンクのドレン排出に用いられる循環路と、
前記循環路の水流を検出する水流検出手段と、
浴槽栓を開栓した浴槽の排水タイミング、またはドレンがドレンタンクの基準レベルを超えかつ浴槽水のポンプ循環で水流発生がないことを確認したタイミングの何れか一方でドレン排出を行い、ドレン排出後、一定量の注水により、循環口の一部または全部が水没すれば、浴槽内にドレンが残留していることを表すアラート情報を出力し、または前記浴槽への注水を停止する制御部と、
を備えることを特徴とする給湯装置。
【請求項６】
さらに、前記アラート情報を出力するアラート手段を備え、浴槽内にドレンが残留していることを表すアラート、または前記浴槽への注水を停止したことを表すアラートを出力することを特徴とする請求項５に記載の給湯装置。
【発明の詳細な説明】
【技術分野】
【０００１】
本発明はたとえば、燃料ガスの燃焼熱を給水などに熱交換した際に熱交換器に生じるドレンの排出技術に関する。
【背景技術】
【０００２】
燃料ガスの燃焼熱を給水などに熱交換した際に熱交換器にドレンが発生するが、燃焼熱の潜熱を回収する二次熱交換器を備えた高効率給湯装置ではドレンの発生が顕著である。このドレンは中和器で中和した後、ドレンタンクに溜め、浴槽栓を開栓した際、浴槽を通して排出している。
このドレン排出に関し、ドレンタンクのドレンを希釈しまたは中和した後、浴槽を通して排水することが知られている（たとえば、特許文献１）。所定の排水タイミングで、ドレンタンクのドレンが追焚き管路により排水することが知られている（たとえば、特許文献２）。
【先行技術文献】
【特許文献】
【０００３】
【特許文献１】特開２００５−２６５２２８号公報
【特許文献２】特開２００９−２７０７９８号公報
【発明の概要】
【発明が解決しようとする課題】
【０００４】
ところで、ドレンタンクのドレンが浴槽を通して排出される場合、浴槽を排水経路に用いるだけで、浴槽水にドレンを混入させることはない。このため、ドレンタンクのドレンを循環路より浴槽に流し、浴槽の排水口から排水パンに排水する場合、ドレンの排出後、循環路を通して浴槽に給水することにより、循環路の配管や浴槽にドレンが残留しないよう対策している。
このようなドレン排出は浴槽栓が開栓されていることが前提であり、誤って浴槽栓を閉栓すると、排出中のドレンを循環路や浴槽内に残留させ、そのドレンを浴槽水に混入させてしまうという課題がある。洗浄用に所定量の給水や給湯を行っても、閉栓状態であれば、浴槽内からドレン排出ができない。このドレン排出に気づかず、ユーザーが浴槽栓を閉栓し、自動給湯に切り換えると、このようなドレン残留のおそれがあるし、ドレンが浴槽水に混入した場合、ドレンは無色透明であるから、浴槽水にドレンが混入しているか否かを判断することができないという課題がある。
ところで、本願の発明者は、浴槽へのドレン排出の際、ドレンを通過させた管路洗浄を兼ねて一定量の注水を行い、次の自動湯張り時、初期水位の水量より少ない注湯により循環口を上回るか否かでドレンの残留を確認できるという知見を得ている。しかしながら、斯かる知見に基づき、一定量を給水した場合、浴槽の容積や浴槽内形状によって水位が相違するため、その判定結果がまちまちとなり、ドレンの残留確認ができない場合もあるという知見を得た。
【０００５】
そこで、本発明の目的は上記課題に鑑み、ドレン排出後の注水を以てドレン残留を判定し、ユーザーにドレン排出を促すことにある。
また、本発明の他の目的は上記課題に鑑み、一定量の注水で循環口の一部または全部が水没することでドレン残量を判断することにより、浴槽の容積や浴槽内形状に影響されないドレン排出精度を高めることにある。
【課題を解決するための手段】
【０００６】
上記目的を達成するため、本発明のドレン排出方法の一側面によれば、熱交換で生じたドレンをドレンタンクに溜め循環路を通して浴槽より排出するドレン排出方法であって、  浴槽栓を開栓した浴槽の排水タイミング、またはドレンがドレンタンクの基準レベルを超えかつ浴槽水のポンプ循環で水流発生がないことを確認したタイミングの何れか一方でドレン排出を行う工程と、前記ドレン排出後、注水する工程と、一定量の注水により循環口の一部または全部が水没すれば、浴槽内にドレンが残留していることを表すアラート情報を出力し、または浴槽への注水を停止する工程を含む。
上記ドレン排出方法において、前記一定量は、浴槽栓を閉じ空状態の浴槽に注水し、前記循環口の一部または全部が水没する水量より少ない水量であればよい。
上記ドレン排出方法において、浴槽栓を開栓して浴槽を空状態にした後、浴槽栓を閉じて注水により、循環口の一部または全部を水没させる工程と、空状態から循環口の一部または全部が水没する水量を計測し、この水量を記憶手段に記憶する工程を含んでよい。
【０００７】
上記目的を達成するため、本発明のドレン排出装置の一側面によれば、熱交換で生じたドレンをドレンタンクに溜め循環路を通して浴槽より排出するドレン排出装置であって、浴槽栓を開栓した浴槽の排水タイミング、またはドレンがドレンタンクの基準レベルを超えかつ浴槽水のポンプ循環で水流発生がないことを確認したタイミングの何れか一方でドレン排出を行うドレン排出部と、前記ドレン排出後、注水する注水部を備え、注水により循環口の一部または全部が水没すれば、アラート出力部が浴槽内にドレンが残留していることを表すアラート情報を出力し、または前記浴槽への注水を停止する。
【０００８】
上記目的を達成するため、本発明の給湯装置の一側面によれば、熱交換で生じたドレンをドレンタンクに溜め循環路を通して浴槽より排出するドレン排出機能を備える給湯装置であって、燃料ガスの燃焼熱を給水に加熱して浴槽に給湯し、または該浴槽の浴槽水に燃焼熱を熱交換する熱交換手段と、前記熱交換手段に生じたドレンを溜め、ドレンが基準レベルを超えたか否かを検出するレベルセンサーを備えるドレンタンクと、前記浴槽への注水、前記浴槽水の循環、前記ドレンタンクのドレン排出に用いられる循環路と、前記循環路の水流を検出する水流検出手段と、浴槽栓を開栓した浴槽の排水タイミング、またはドレンがドレンタンクの基準レベルを超えかつ浴槽水のポンプ循環で水流発生がないことを確認したタイミングの何れか一方でドレン排出を行い、ドレン排出後、一定量の注水により、循環口の一部または全部が水没すれば、浴槽内にドレンが残留していることを表すアラート情報を出力し、または前記浴槽への注水を停止する制御部を備える。
上記給湯装置において、さらに、前記アラート情報を出力するアラート手段を備え、浴槽内にドレンが残留していることを表すアラート、または前記浴槽への注水を停止したことを表すアラートを出力してもよい。
【発明の効果】
【０００９】
本発明によれば、次のいずれかの効果が得られる。
(1) ドレン排出後の注水により、ドレンの残留を判定でき、その告知または注水停止により、ユーザーにドレン排出を促すことができる。
(2) 浴槽栓を閉栓している場合、アラート出力を契機にユーザーが浴槽栓を開栓すれば、一定量を注水した浴槽からドレンを排出させることができる。
(3) 浴槽に残留したドレンは初期注水で希釈化されるので、浴槽栓の開栓により浴槽の浄化も兼ねたドレン排出が行える。
【図面の簡単な説明】
【００１０】
【図１】一実施の形態に係るドレン排出装置を示す図である。
【図２】ドレン排出の処理工程を示すフローチャートである。
【図３】Ａは実施例１に係る浴槽の水位設定を示す図、Ｂは浴槽データテーブルを示す図である。
【図４】Ａはドレンタンクを示す正面図、Ｂはドレンタンクを示す側面図である。
【図５】実施例１に係る給湯追焚装置を示す図である。
【図６】給湯追焚装置の制御部の一例を示す図である。
【図７】ドレン排出の処理手順１を示すフローチャートである。
【図８】Ａは初期注水の動作を示す図、Ｂは注水前の状態を示す図である。
【図９】Ａは注水直前の状態を示す図、Ｂは浴槽水の残留状態を示す図である。
【図１０】全自動運転の処理手順１を示すフローチャートである。
【図１１】全自動運転の処理手順２を示すフローチャートである。
【図１２】Ａは正常な排水状態を示す図、Ｂは排水の異常状態を示す図である。
【図１３】実施例２に係るドレン排出の処理手順を示すフローチャートである。
【図１４】実施例３に係る給湯追焚装置を示す図である。
【発明を実施するための形態】
【００１１】
〔一実施の形態〕
図１は、一実施の形態に係るドレン排出装置を示している。図１に示す構成は一例であり、係る構成に本発明を限定するものではない。
このドレン排出装置２にはドレン排出部４、注水部６およびアラート出力部８が備えられ、熱交換で生じたドレンＤをドレンタンク１０に溜め循環路１２を通して浴槽１４より排出する。
【００１２】
ドレン排出部４はたとえば、浴槽栓１６を開栓した浴槽１４の排水タイミング、またはドレンＤがドレンタンク１０の一例である基準レベルＤｒｅｆを超えかつ循環ポンプ１８による浴槽水ＢＷの循環で水流発生がないことを確認した排水タイミングの何れかでドレン排出を行う。水流発生の有無は水流検出手段の一例である水流スイッチ２０で検出される。
注水部６はドレンＤの排出後、一定量の注水を行う。一定量の注水は、後述するドレン排出回路の洗浄を兼ねて、浴槽栓１６を閉じた空状態の浴槽１４に注水し、循環口２２の一部または全部を水没させる水量より少ない注水量の初期注水を行っても、一定量の水量が加わると循環口２２の一部または全部を水没させる水量である。この注水は、加熱前の給水または加熱後の温水のいずれでもよい。
アラート出力部８は、注水部６による浴槽１４への初期注水により循環口２２の一部または全部が水没すれば、つまり、循環ポンプ１８による浴槽水ＢＷの循環で水流発生があれば、浴槽１４内にドレンＤが残留していることを表すアラート情報を出力する。水流の有無は、水流スイッチ２０の出力により確認すればよい。
【００１３】
＜ドレン排出工程＞
図２は、一実施の形態に係るドレン排出および排出異常の検知工程を含んでいる。この処理手順では、熱交換で生じたドレンＤをドレンタンク１０に溜め循環路１２を通して浴槽１４より排出するドレン排出方法の一例であり、ドレンＤの排出、ドレンＤの排出判断、注水、浴槽１４の水位判断、アラート情報の出力が含まれる。
ドレンＤの排出について、第１の排出タイミングまたは第２の排出タイミングかを判断する（Ｓ１１）。第１の排出タイミングは、浴槽栓１６を開栓した浴槽１４の排水タイミングである。第２の排出タイミングは、ドレンＤがドレンタンク１０の既述の基準レベルＤｒｅｆを超えかつ浴槽水ＢＷのポンプ循環で水流発生がないことを確認したタイミングである。このタイミングはたとえば、ドレンＤが基準レベルＤｒｅｆの上位レベルＨｒｅｆ（図４、図５）を超えている場合に到来する。
【００１４】
第１または第２の排出タイミングであれば（Ｓ１２のＹＥＳ）、ドレンタンク１０のドレンＤが循環路１２を含むドレン排出回路から浴槽１４に排出される（Ｓ１３）。この場合、ドレンタンク１０から循環路１２を通して循環口２２までのドレン排出回路を確立させてドレン排出を実行する。ドレン排出回路は、ドレンタンク１０から浴槽１４、またはドレンタンク１０から浴槽栓１６を開栓した浴槽１４外に至るドレンＤの排出経路である。
ドレンＤの排出を完了したかを判断し（Ｓ１４）、ドレンタンク１０からドレンＤの排出が完了すれば（Ｓ１４のＹＥＳ）、注水部６から一定量として浴槽水位のたとえば３〔ｃｍ〕相当の水量Ｗ１の注水を行い、循環路１２を含むドレン排出回路を洗浄する（Ｓ１５）。これによりドレン排出が終了する。
【００１５】
ドレン排出後の注水時、注水部６から浴槽１４に一定量の初期注水を行う（Ｓ１６）。この初期注水量は、循環口２２の一部または全部を水没させる水量より浴槽水位のたとえば２〔ｃｍ〕に相当する水量Ｗ２だけ少ない水量である。この注水時、浴槽栓１６は閉栓状態にある。
【００１６】
この注水で循環口２２の一部または全部が水没したかを判断する（Ｓ１７）。この判断はたとえば、循環ポンプ１８による浴槽水ＢＷの循環による水流の有無により行えばよい。
循環口２２の一部または全部が水没しなければ（Ｓ１７のＮＯ）、ドレンＤが浴槽１４から排出されているので、アラート情報を出力しない（Ｓ１８）。また、循環口２２の一部または全部が水没していれば（Ｓ１７のＹＥＳ）、浴槽１４にドレンＤが残留していることを表すアラート、または注水停止を表すアラートを出力する（Ｓ１９）。このアラートにより、ユーザーに浴槽栓１６の開栓、つまり浴槽排水を促すことができる。
【００１７】
＜一実施の形態の効果＞
この一実施の形態によれば、次の効果が得られる。
(1) 次回の注水時、つまり湯張り時、初期給湯で前回排出のドレンの残留をアラームによって知ることができる。
(2) 注水停止を示すアラームまたはドレン残留を表すアラームがあれば、その時点で浴槽排水を行えばよく、ドレンの残留を防止できる。
【実施例１】
【００１８】
＜浴槽の水位設定＞
図３のＡは実施例１に係る浴槽の水位設定を示している。図３のＡにおいて、図１と同一部分には同一符号を付してある。
浴槽１４の底部側の側面部には循環路１２（図１）が連結される循環口２２が備えられる。この循環口２２の高さは、その中心を浴槽底面２６から一定の高さたとえば、１５〔ｃｍ〕程度の高さに設定される。
【００１９】
浴槽１４には、浴槽底面２６より初期水位Ｌｉｎｉ、基準水位Ｌｓｔ、高さ間隔で複数の設定水位Ｌｎたとえば、Ｌ１、Ｌ２、Ｌ３・・・Ｌ１１が設定される。
初期水位Ｌｉｎｉは、循環口２２の中心付近の水位であり、循環路１２の戻り管１２−１が水没する程度の水位である。
基準水位Ｌｓｔは、初期水位Ｌｉｎｉから一定の高さたとえば、８〔ｃｍ〕程度の高さに設定される。
設定水位Ｌ１は、基準水位Ｌｓｔから一定の高さたとえば、３〔ｃｍ〕程度の高さに設定され、各設定水位Ｌ１、Ｌ２、Ｌ３・・・Ｌ１１は一定の高さ方向の幅たとえば、３〔ｃｍ〕程度である。浴槽水位は設定水位Ｌ１、Ｌ２、Ｌ３・・・Ｌ１１から選択すればよい。
【００２０】
浴槽底面２６から設定水位Ｌ１までの高さは、
設定水位Ｌ１の高さ＝１５〔ｃｍ〕＋８〔ｃｍ〕＋３〔ｃｍ〕
＝２６〔ｃｍ〕                              ・・・(1) 
であり、浴槽底面２６から設定水位Ｌ１１までの高さは、
設定水位Ｌ１１の高さ＝１５〔ｃｍ〕＋８〔ｃｍ〕＋３〔ｃｍ〕×１１
＝５６〔ｃｍ〕                            ・・・(2) 
である。
【００２１】
浴槽水位センサー２４の分解能を１Ｂｉｔ＝０．２１２５〔ｃｍ〕とすれば、設定水位Ｌ１〜Ｌ１１の１段階あたりの高さが３〔ｃｍ〕であるから、１４Ｂｉｔ＝２．９７５〔ｃｍ〕となる。
配管内水量を含む浴槽底面２６から初期水位Ｌｉｎｉまでの初期水量をＶｉｎｉ、初期水位Ｌｉｎｉから基準水位Ｌｓｔまでの基準水量をＶｓｔ、基準水位Ｌｓｔから設定水位Ｌ１（＝Ｌｄ）までの水量をＶｄとする。これらの水量は配管や浴槽１４によって異なる値である。
【００２２】
＜浴槽データテーブル２８＞
図３のＢは浴槽データテーブルを示している。この浴槽データテーブル２８は浴槽データのデータベースであり、浴槽１４の設置情報、水位情報などが格納される。
この浴槽データテーブル２８には、浴槽情報３０、水位情報３２が格納され、水位情報３２には初期水位情報３２−１、基準水位情報３２−２、設定水位情報３２−３が格納される。
浴槽情報３０には浴槽１４の設置状況、広さなどの情報が格納される。
【００２３】
初期水位情報３２−１には配管内水量を含む浴槽底面２６から初期水位Ｌｉｎｉまでの水量Ｖｉｎｉが格納される。水量Ｖｉｎｉは、浴槽水位センサー２４の測定値である。
基準水位情報３２−２には初期水位Ｌｉｎｉから基準水位Ｌｓｔまでの基準水量Ｖｓｔが格納される。この基準水量Ｖｓｔは、浴槽水位センサー２４の測定値である。
設定水位情報３２−３には基準水位Ｌｓｔから設定水位Ｌ１１までの設定水位毎の単位水量である水量Ｖｄが格納される。
これらの情報は、ドレン排出を含む全自動給湯の制御に用いられる。
【００２４】
＜ドレンタンク１０＞
図４のＡはドレンタンク１０の縦断面を示し、図４のＢは図４のＡのIVＢ−IVＢ線断面を示している。この実施例１では、既述の基準レベルＤｒｅｆとして、上位レベルＨｒｅｆ、下位レベルＬｒｅｆが設定される。
このドレンタンク１０には導入ポート３４、排出ポート３６、オーバーフローポート３８、ドレンレベルセンサー４０が備えられる。中和処理されたドレンＤが導入ポート３４からドレンタンク１０に導かれて溜められ、排出ポート３６から排出される。ドレンＤが上限レベル（オーバーフローレベル）Ｕを超えると、オーバーフローポート３８よりドレンタンク１０外に排出される。
ドレンレベルセンサー４０は、ドレンタンク１０に溜まるドレンＤの水位を検出するセンサーである。このドレンレベルセンサー４０にはコモン電極４０−１、下位レベル検出電極４０−２、上位レベル検出電極４０−３、上限レベル検出電極４０−４が備えられる。コモン電極４０−１はドレンＤの水没位置に設定される。このドレンタンク１０において、コモン電極４０−１と下位レベル検出電極４０−２でドレンＤの下位レベルＬｒｅｆ、コモン電極４０−１と上位レベル検出電極４０−３でドレンＤの上位レベルＨｒｅｆが検出される。上限レベル検出電極４０−４は、上位レベルＨｒｅｆより高い上限レベルＵを検出し、この上限レベルＵはたとえば、オーバーフローレベルである。
【００２５】
＜給湯追焚装置４２＞
図５は既述のドレン排出装置２を備える実施例１に係る給湯追焚装置４２を示している。この給湯追焚装置４２は給湯装置の一例である。この給湯追焚装置４２には浴槽１４以外への一般給湯、浴槽１４への注湯のための給湯機能と、浴槽水ＢＷの追焚機能が備えられる。
【００２６】
この給湯追焚装置４２には給湯用燃焼室４４−１、追焚用燃焼室４４−２が備えられる。給湯用燃焼室４４−１には一次熱交換器４８および二次熱交換器５０が備えられる。一次熱交換器４８はバーナー５２の燃焼で得られる燃焼排気５４の主として顕熱を給水Ｗに熱交換し、二次熱交換器５０は一次熱交換器４８を通過した燃焼排気５４の主として潜熱を給水Ｗに熱交換する。
追焚用燃焼室４４−２には熱交換器５６が備えられる。熱交換器５６はバーナー５８の燃焼で得られる燃焼排気６０の顕熱を浴槽水ＢＷに熱交換する。熱交換器４８、５０、５６は、双方向運転又は単独運転のいずれの運転形態も可能であり、給湯用の一次熱交換器４８および二次熱交換器５０の熱交換で得られる温水ＨＷを浴槽１４に注湯することが可能である。
【００２７】
バーナー５２、５８には燃料ガス供給管６２が接続され、燃料ガスＧが供給される。燃料ガス供給管６２には、元ガス電磁弁６４、ガス比例弁６６が設置されるとともに、バーナー５２側には切替電磁弁６８、ガス電磁弁７０、切替電磁弁７２が設置され、バーナー５８側にはガス電磁弁７４が設置されている。バーナー５２側には給気手段として給気ファン７６−１、バーナー５８側には給気ファン７６−２が備えられ、バーナー燃焼に必要な空気が供給される。したがって、給湯、注湯または浴槽水ＢＷの追焚について、給湯温度、注湯温度および追焚温度などの制御に必要なバーナー５２、５８のガス燃焼量がガス比例弁６６などの開度によって制御される。
【００２８】
給水Ｗは、給水管８０から二次熱交換器５０に供給され、この二次熱交換器５０を通過した後、一次熱交換器４８に導かれる。熱交換器４８、５０の熱交換後の温水ＨＷは給湯管８２に導かれる。給水管８０および給湯管８２の間にはバイパス管８６が備えられ、給水Ｗが温水ＨＷに混合可能である。バイパス管８６は、給湯時の設定温度に対する応答性を高めるため、熱交換後の温水ＨＷに対して給水Ｗを混合させる。温水ＨＷは注水部６（図１）の一例である注水管８８により循環路１２を通して浴槽１４に注水される。注水管８８は浴槽１４への注水として、熱交換後の温水ＨＷ、熱交換前の給水Ｗのいずれにも用いられる。
給水管８０には給水温センサー９０、水量センサー９２が備えられ、給湯管８２には出湯温センサー９６、水制御弁９８、混合温センサー１００が備えられる。バイパス管８６にはバイパス電磁弁１０２が備えられる。
【００２９】
給水温センサー９０は給水温度を検出する。水量センサー９２は給水管８０に流れる給水量を検出する。出湯温センサー９６は熱交換後の温水温度を検出する。バイパス電磁弁１０２は温水ＨＷに混合させる給水Ｗの給水量を制御する。水制御弁９８は給水量、給湯量の制御に用いられる。混合温センサー１００は温水ＨＷと給水Ｗの混合水温度を検出する。
注水管８８には注湯電磁弁１０４、注湯量センサー１０６、逆止弁１０８が備えられる。注湯電磁弁１０４は、浴槽１４への注湯量の調整に用いられる。注湯量センサー１０６は注湯量を測定する。逆止弁１０８は給水管８０および給湯管８２と浴槽水ＢＷとを縁切りする手段である。
【００３０】
二次熱交換器５０側にはドレン受け１１０が備えられ、このドレン受け１１０に熱交換で生じたドレンＤが集められる。ドレン受け１１０のドレンＤはドレン管１１２を通じて中和器１１３に導かれて中和された後、ドレンタンク１０に溜められる。ドレンタンク１０のドレンＤは、ドレン管１１４を通して循環路１２の戻り管１２−１に導かれる。ドレン管１１４には逆止弁１１６が備えられる。逆止弁１１６は、循環路１２とドレン管１１４との縁切り手段である。
【００３１】
循環路１２には温度センサー１１８、１２０、二方弁１２２、三方弁１２４、循環ポンプ１８、浴槽水位センサー２４が備えられる。温度センサー１１８は浴槽水ＢＷの浴槽１４からの出る浴槽水ＢＷの温度を検出する。温度センサー１２０は浴槽１４へ入る浴槽水ＢＷの温度を検出する。二方弁１２２は、循環路１２の開閉に用いられる。三方弁１２４は、循環路１２の戻り管１２−１にドレン管１１４からのドレンＤを流し込む際に用いられる。循環ポンプ１８は浴槽水ＢＷの追焚き、浴槽１４への温水ＨＷの注湯またはドレンＤの排出の際に駆動する。浴槽水位センサー２４は浴槽１４の浴槽水ＢＷの水位検出に用いられる。
この給湯追焚装置４２には制御部１２８が備えられ、動作制御および動作指示などの手段として図示しない浴室リモコン装置および台所リモコン装置が備えられる。
この給湯追焚装置４２ではドレン排出部４が一例としてドレン管１１４、循環路１２および浴槽１４により構成されているが、これに限定されるものではない。
【００３２】
＜制御部１２８＞
図６は、制御部１２８の一例を示している。この制御部１２８にはそれぞれコンピュータで構成される給湯制御部１３０、浴室リモコン装置に設置される浴室リモコン制御部１３２、台所リモコン装置に設置される台所リモコン制御部１３４が備えられる。
給湯制御部１３０にはプロセッサ１３６、メモリ部１３８、通信部１４０、入出力部（Ｉ／Ｏ）１４２が備えられる。プロセッサ１３６は、メモリ部１３８に格納されているＯＳ（Operating System）や給湯追焚プログラム、ドレン排出プログラムなどを実行する。メモリ部１３８はＲＯＭ（Read-Only Memory）、ＲＡＭ（Random-Access Memory）、ＥＥＰＲＯＭ（Electrically Erasable Programmable Read-Only Memory ）などの記憶素子で構成され、ＲＯＭまたはＥＥＰＲＯＭにはＯＳ、給湯追焚プログラム、ドレン排出プログラムの他、既述の浴槽データベースとして浴槽データテーブル２８が格納される。
【００３３】
通信部１４０は、プロセッサ１３６により制御され、台所リモコン制御部１３４の通信部１６６、浴槽リモコン制御部１３２の通信部１５０とのデータ通信に用いられる。
Ｉ／Ｏ１４２は、水流スイッチ２０、浴槽水位センサー２４、ドレン水位センサー４０、注湯量センサー１０６、排水タイマー１４４などの各出力の取り込み、循環ポンプ１８、水制御弁９８、注湯電磁弁１０４、二方弁１２２、三方弁１２４などへの制御出力の取り出しに用いられる。
排水タイマー１４４は、ドレンＤの排水時の待機時間として一定時間たとえば、３分間の計時に用いられる。
【００３４】
浴室リモコン制御部１３２は給湯制御部１３０と同様に、プロセッサ１４６、メモリ部１４８、通信部１５０、Ｉ／Ｏ１５２が備えられる。プロセッサ１４６は給湯制御部１３０との連係制御とともに、自動運転開始およびその提示、制御情報の表示、ドレン排出異常のアラート出力などを行う。
Ｉ／Ｏ１５２は、自動運転スイッチ１５４からの入力取り込み、インジケータとしてのＬＥＤ（Light Emitting Diode）１５６の点灯または消灯、液晶表示器１５８の表示出力、スピーカー１６０からの音声出力の取り出しに用いられる。
【００３５】
台所リモコン制御部１３４は給湯制御部１３０と同様に、プロセッサ１６２、メモリ部１６４、通信部１６６、Ｉ／Ｏ１６８が備えられる。プロセッサ１６２は給湯制御部１３０との連係制御とともに、自動運転開始およびその提示、制御情報の表示、ドレン排出異常のアラート出力などを行う。
Ｉ／Ｏ１６８は、自動運転スイッチ１７０からの入力取り込み、インジケータとしてのＬＥＤ１７２の点灯または消灯、液晶表示器１７４の表示出力、スピーカー１７６からの音声出力の取り出しに用いられる。
【００３６】
＜ドレンＤの排出処理＞
図７は、給湯追焚装置４２のドレンＤの排出処理を示している。この排水処理には熱交換後の温水ＨＷが用いられる。この処理手順では、ドレン排出タイミングの検出およびドレン排出を行う。ドレンレベルＤＬが上位レベルＨｒｅｆ以上（ＤＬ≧Ｈｒｅｆ）かを判断する（Ｓ２００）。このドレンレベルＤＬは、ドレン水位センサー４０で検出すればよい。このドレンレベルＤＬが上位レベルＨｒｅｆ以上であれば（Ｓ２００のＹＥＳ）、ドレン排出タイミングであるので、Ｓ２０１ないしＳ２０４をスキップしてＳ２０５に遷移し、ドレン排出処理に移行する。ドレンレベルＤＬが上位レベルＨｒｅｆ未満であれば（Ｓ２００のＮＯ）、浴槽栓１６の開栓によるドレン排出タイミングの検出のため、浴槽水位センサー２４により浴槽水位を監視する（Ｓ２０１）。浴槽栓１６が開栓され浴槽水ＢＷの排水等により浴槽水位が基準水位未満（浴槽水位＜基準水位）になったかを判断する（Ｓ２０２）。浴槽水位＜基準水位であれば（Ｓ２０２のＹＥＳ）、排水タイマー１４４の計時をスタートさせる（Ｓ２０３）。排水タイマー１４４は残りの浴槽水ＢＷが排水されるのに十分な一定時間たとえば、３分間を以てタイムアップする。排水タイマー１４４がタイムアップしたかを判断する（Ｓ２０４）。３分間が経過するまで待機し、３分間の経過後、循環ポンプ１８を駆動し、浴槽１４の残り湯の有無を確認する（Ｓ２０５）。この残り湯の有無は、循環路１２に残り湯が流れるか否かを水流検出手段の一例である水流スイッチ２０の出力により判断すればよい。
【００３７】
残り湯が浴槽１４に有るか否かを判断し（Ｓ２０６）、浴槽１４に残り湯があれば（Ｓ２０６のＮＯ）、循環ポンプ１８を停止させ（Ｓ２０７）、Ｓ２０８〜Ｓ２１５をスキップしてこの処理を終了し、ドレンＤの排出は行わない。
浴槽１４に浴槽水ＢＷ（残り湯）がなければ（Ｓ２０６のＹＥＳ）、循環ポンプ１８を停止させ（Ｓ２０８）、ドレン排出回路を確立させる（Ｓ２０９）。ドレン排出回路は、ドレンタンク１０から浴槽１４、またはドレンタンク１０から浴槽栓１６を開栓した浴槽１４外に至るドレンＤの排出経路である。
図８のＡは初期水位の水量を示し、図８のＢは浴槽１４が空の状態を示している。Ｓ２０９のタイミングでは図８のＢに示すように、浴槽１４および循環路１２などは空の状態である。
このドレン排出回路の確立後、循環ポンプ１８を駆動し（Ｓ２１０）、ドレン排出回路を通してドレンタンク１０からドレンＤを浴槽１４に排出する。循環ポンプ１８の動作中に、ドレンＤの排出終了かを判断する（Ｓ２１１）。排出終了の判断は、ドレンタンク１０内のドレンＤが満タン状態であっても排出終了可能である時間の計測であってもよいし、図４におけるドレンタンク１０の下位レベル検出電極４０−２により下位レベルＬｒｅｆを下回ったことを検出してもよい。ドレンＤの排出終了であれば（Ｓ２１１のＹＥＳ）、循環ポンプ１８を停止させ（Ｓ２１２）、注湯回路を確立させる（Ｓ２１３）。注湯回路は、給湯管８２から注水管８８および循環路１２を通して浴槽１４に至る温水の供給経路である。この注湯回路の確立は、注水管８８の注湯電磁弁１０４を開状態にし、温水ＨＷが浴槽１４に注湯可能な状態が成立することである。この注湯回路から浴槽１４に循環路１２の洗浄を兼ねて一定量の注湯たとえば、浴槽水位３〔ｃｍ〕に相当する水量Ｗ１の注湯を行い（Ｓ２１４）、その後の所定時間、循環ポンプ１８を駆動して循環路１２の残留水を排出し（Ｓ２１５）、この処理を終了する。
なお、Ｓ２０４の３分間が経過する間、浴槽栓１６を開栓すれば、図９のＡに示すように、浴槽１４は空状態となる。Ｓ２０４の３分間が経過する間、この状態で排水終了と見なし、浴槽栓１６を閉栓すると、排水が不完全な状態となる。つまり、図９のＢの状態に示すように、ドレンＤおよび浴槽水位３〔ｃｍ〕に相当する水量Ｗ１の注湯（Ｓ２１４）が浴槽１４などに残留状態となる。
【００３８】
＜全自動運転〔１〕＞
図１０は、給湯追焚装置４２の全自動運転〔１〕の処理手順を示している。この自動運転〔１〕の処理手順は、給湯追焚装置４２の設置時等の浴槽１４の水位情報３２（図３のＢ）を取得するための処理である。
この処理手順では、自動運転スイッチ１５４または自動運転スイッチ１７０をＯＮにすることが必要であり、データ記憶を実行するには、自動運転スイッチ１５４または自動運転スイッチ１７０のＯＮが条件である。自動運転スイッチ１５４または１７０がＯＮであるかを判断し（Ｓ３０１）、自動運転スイッチ１５４または１７０がＯＮであれば（Ｓ３０１のＹＥＳ）、所定量たとえば、１０〔リットル〕の注湯を行う（Ｓ３０２）。
循環ポンプ１８を駆動し、残り湯の有無を確認する（Ｓ３０３）。残り湯があれば（Ｓ３０４のＮＯ）、Ｓ３０７〜Ｓ３１７をスキップし、循環ポンプ１８を停止し（Ｓ３０５）、排水後、再実行指示をリモコン装置より出力し（Ｓ３０６）、この処理を終了する。
残り湯がなければ（Ｓ３０４のＹＥＳ）、循環ポンプ１８を停止し（Ｓ３０７）、再び所定量の注湯を行って循環路１２の水張りを行った後、二方弁１２２を閉じ、往き管１２−２から注湯を開始する（Ｓ３０８）。
【００３９】
注湯中にＳ３０９〜Ｓ３１４の処理を行う。浴槽水位センサー２４により初期水位を検出したかを判断する（Ｓ３０９）。初期水位を検出すれば（Ｓ３０９のＹＥＳ）、初期水位として、センサー値Ｌｉｎｉおよび水量Ｖｉｎｉを記憶する（Ｓ３１０）。
このタイミングでは図８のＡのように、浴槽１４は初期水位まで、循環路１２等は水が満たされた状態となっている。つまり、水量Ｖｉｎｉには配管内の水量も含まれる。
水位センサー値がＬｉｎｉ＋所定レベルたとえば、８〔ｃｍ〕以上に到達したか（水位センサー値≧Ｌｉｎｉ＋８〔ｃｍ〕）を判断する（Ｓ３１１）。
水位センサー値≧Ｌｉｎｉ＋８〔ｃｍ〕であれば（Ｓ３１１のＹＥＳ）、基準水位として、センサー値（Ｌｓｔ＝測定値−Ｌｉｎｉ）、水量（Ｖｓｔ＝測定値−Ｖｉｎｉ）を記憶する（Ｓ３１２）。
ここで、この浴槽１４における水位３〔ｃｍ〕に相当する水量Ｗ１および２〔ｃｍ〕に相当する水量Ｗ２を算出し記憶する。
Ｗ１およびＷ２の算出は次のような方法が考えられる。
パターン１：循環口の標準高さは１５〔ｃｍ〕である。そこで、Ｓ３１０にて記憶した初期水水量Ｖｉｎｉより、
Ｗ１＝Ｖｉｎｉ／１５×３                          ・・・(3)
Ｗ２＝Ｖｉｎｉ／１５×２                          ・・・(4)
とする。
パターン２：Ｓ３１１にて基準水位Ｌｓｔ（初期水位Ｌｉｎｉ＋８〔ｃｍ〕）検出までの間に初期水位Ｌｉｎｉ＋３〔ｃｍ〕の検出を行い、初期水位Ｌｉｎｉ＋３〔ｃｍ〕に到達した際の初期水位検出後の注湯量をＷ１とする。水量Ｗ２は、算出したＷ１により、
Ｗ２＝Ｗ１／３×２                                ・・・(5)
とする。
上記の算出方法に限らず、それぞれの浴槽１４における水位３〔ｃｍ〕に相当する水量Ｗ１および２〔ｃｍ〕に相当する水量Ｗ２となればよい。
注湯は引き続き継続し、水位センサー値が設定水位以上（水位センサー値≧設定水位）かを判断する（Ｓ３１４）。水位センサー値≧設定水位であれば（Ｓ３１４のＹＥＳ）、設定水位として１段当たりの水量Ｖｄを記憶する（Ｓ３１５）。
この水量Ｖｄの記憶の後、注湯を停止し、二方弁を開き（Ｓ３１６）、循環ポンプ１８を駆動し、設定温度になるまで追焚きを行い（Ｓ３１７）、この処理を終了する。
【００４０】
＜全自動運転〔２〕＞
図１１は、給湯追焚装置４２の全自動運転〔２〕の処理手順を示している。この自動運転〔２〕の処理手順は、自動運転〔１〕（図８）によるデータ記憶後の運転である。
この処理手順では、自動運転スイッチ１５４または１７０がＯＮであるかを判断し（Ｓ４０１）、自動運転スイッチ１５４または１７０がＯＮであれば（Ｓ４０１のＹＥＳ）、前回、ドレン排出ありかを判断する（Ｓ４０２）。これは、浴槽１４に対し直近に図７の排出処理が実施されており、Ｓ２０８以降の処理が実行されているかの確認である。前回ドレン排出がなければ（Ｓ４０２のＮＯ）、Ｓ４０３〜Ｓ４０９をスキップし、Ｓ４１０に遷移する。
前回、ドレン排出があれば（Ｓ４０２のＹＥＳ）、浴槽水位センサー２４により残り湯の有無を確認する（Ｓ４０３）。
【００４１】
残り湯があれば（Ｓ４０４のＮＯ）、ドレン排出後、給湯追焚装置４２を経由しない注水が行われたと判断し、Ｓ４０５〜Ｓ４０９をスキップし、Ｓ４１０に遷移する。
残り湯がなければ（Ｓ４０４のＹＥＳ）、図７の排出処理の最終状態である図９のＡまたは図９のＢに示す状態にあり、この状態で初期注湯量（＝初期水量Ｖｉｎｉ−Ｗ２）を注湯（Ｓ４０５）する。
その結果、図９のＡの場合では図１２のＡに示す状態になり、初期水位Ｌｉｎｉには届かない。また、図９のＢの場合では図１２のＢに示す状態となり、初期水位Ｌｉｎｉを上回る。
循環ポンプ１８を駆動し（Ｓ４０６）、水流スイッチ２０がＯＮしたか否かを判断し（Ｓ４０７）、水流スイッチ２０がＯＮすれば（Ｓ４０７のＹＥＳ）、図１２のＢに示す状態であるため、排水異常として警告音または警告表示の何れかまたは双方を出力し（Ｓ４０８）、この処理を終了する。
水流スイッチ２０がＯＮしなければ（Ｓ４０７のＮＯ）、循環ポンプ１８を停止し（Ｓ４０９）、設定水位までの水量を注湯し（Ｓ４１０）、設定温度に沸き上げる（Ｓ４１１）。
なお、排水後の注湯の再実行は、アラート出力とともに、ドレン排出後のアラート解除後に行う構成としてもよい。
【００４２】
＜実施例１の効果＞
この実施例１によれば、次の効果が得られる。
(1) ドレンＤの排出時、浴槽１４の浴槽栓１６を誤って閉じても、次回の湯張り時、浴槽１４の初期注湯後の水位から異常を自動的に判断し、その異常をアラート出力により告知できる。
(2) このアラートの告知は、浴室リモコン装置または台所リモコン装置から音声または表示によって行うことができ、ユーザーはドレン排出の異常を容易に認識することができる。
【００４３】
(3) ドレン排出の異常を認識すれば、その時点で浴槽栓１６を開栓し、浴槽１４を空状態にすればよい。
(4) ドレン排出の異常は、初期注湯量の注湯で判断でき、異常時これを排出すればドレンＤを浴槽外に排出でき、初期注湯量で浴槽１４の洗浄も同時に行うことができる。
(5) ドレン排出に異常があれば、アラート出力後の注湯を停止するので、注湯の無駄を防止できる。
(6) 実施例１ではドレンＤの排出後、洗浄注湯として一定量の注水を行うので、残留するドレンＤが少ない場合の排出異常の検出精度を高めることができ、ドレンＤの残留を防止することができる。
(7) 浴槽の容積が大きい場合には、一定の注湯量が、たとえば１５〔リットル〕では、水位が１〔ｃｍ〕程度ないしそれ以下の水位になってしまい、また、半身浴用の浴槽など、循環口付近の面積が狭い浴槽では一定の注湯量が、たとえば同様に、１５〔リットル〕では多すぎ、水位が循環口をはるかに上回るといった不都合に対し、実施例１では個々の設置状況や浴槽に応じて判定水量を決めるので、斯かる不都合を解消することができる。たとえば、循環口付近の高さ位置の浴槽面積を基準にドレン排出後の注水量を水位３〔ｃｍ〕に相当する水量Ｗ１とし、初期水量より水位＝２〔ｃｍ〕に相当する水量Ｗ２だけ少ない注湯を行うので、水位判定精度を高めることができる。つまり、水位３〔ｃｍ〕に相当する量の注水をドレン排出後に行い、次の自動湯張り時、循環口２２の位置より２〔ｃｍ〕だけ低い水位までの注湯を行い、そのとき、循環口２２が水没していればドレン排出水が残留していると判断すればよい。
(8) 浴槽水位は水位センサー、水量は水量センサー９２や注湯量センサー１０６で計測でき、これらの計測誤差や配管残留水などを想定すれば、浴槽水位は１〔ｃｍ〕程度を見越せばよい。この実施例では、水量の算出方法の一例として、次のパターン１とパターン２が想定できる。
パターン１では循環口２２の標準高さ＝１５〔ｃｍ〕を想定し、初期水位の検出時、『それまでの注水量／１５』から１〔ｃｍ〕あたりの水量を算出する。これにより、２〔ｃｍ〕＝Ｗ２、３〔ｃｍ〕＝Ｗ１の水量を算出できる。
パターン２では、初期水位の検出後、基準水位（初期水位＋８〔ｃｍ〕）の検出までの間で、初期水位＋３〔ｃｍ〕までの水量は、ドレン排出時に排水する循環口２２に通じている浴槽水位センサー２４で検出する。この検出水位から３〔ｃｍ〕の水位上昇までの量をドレン排出後の注水量Ｗ１とし、その２／３を初期水量より減らす水量Ｗ２とする。このようなパターン１、パターン２のいずれによっても、ドレンＤの残留の判定精度を高めることができる。
【実施例２】
【００４４】
＜ドレンＤの排出処理＞
図１３は、実施例２に係るドレンＤの排出処理の処理手順を示している。
この実施例２の処理手順では、実施例１の排出処理と同様に、ドレン排出タイミングの検出およびドレン排出を行う。ドレンレベルＤＬが上位レベルＨｒｅｆ以上（ＤＬ≧Ｈｒｅｆ）かを判断する（Ｓ５００）。このドレンレベルＤＬは、ドレン水位センサー４０で検出すればよい。このドレンレベルＤＬが上位レベルＨｒｅｆ以上であれば（Ｓ５００のＹＥＳ）、ドレン排出タイミングであるので、Ｓ５０１ないしＳ５０４をスキップしてＳ５０５に遷移し、ドレン排出処理に移行する。ドレンレベルＤＬが上位レベルＨｒｅｆ未満であれば（Ｓ５００のＮＯ）、浴槽栓１６の開栓によるドレン排出タイミングの検出のため、浴槽水位の監視（Ｓ５０１）、浴槽水位＜基準水位の判断（Ｓ５０２）、浴槽水位＜基準水位であれば、排水タイマー１４４の計時をスタート（Ｓ５０３）、排水タイマー１４４のタイムアップ判断（Ｓ５０４）、循環ポンプ１８の駆動、残り湯の確認（Ｓ５０５）、浴槽１４の残り湯の判断（Ｓ５０６）の後、浴槽１４に残り湯があれば（Ｓ５０６のＮＯ）、循環ポンプ１８を停止し（Ｓ５０７）、Ｓ５０８〜Ｓ５１６をスキップして終了し、ドレンＤの排出は行わない。
【００４５】
浴槽１４に浴槽水ＢＷ（残り湯）がなければ（Ｓ５０６のＹＥＳ）、循環ポンプ１８を停止させ（Ｓ５０８）、ドレンレベルＤＬが下位レベルＬｒｅｆ未満（ＤＬ＜Ｌｒｅｆ）かを判断する（Ｓ５０９）。このドレンレベルＤＬは、ドレン水位センサー４０で検出すればよい。
ＤＬ＜Ｌｒｅｆであれば（Ｓ５０９のＹＥＳ）、排出するドレンＤがないので、通常の配管クリーンを行うためＳ５１０〜Ｓ５１３をスキップし、Ｓ５１４に遷移する。なお、この場合、Ｓ５１５における注湯量は循環路１２の洗浄を行える所定量、たとえば１０〔リットル〕でもよい。
ＤＬ＜Ｌｒｅｆでなければ（Ｓ５０９のＮＯ）、ドレン排出回路を確立させ（Ｓ５１０）、循環ポンプ１８を駆動し（Ｓ５１１）、ドレン排出回路を通してドレンタンク１０からドレンＤを浴槽１４に排出する。
ドレンレベルＤＬが下位レベルＬｒｅｆ未満（ＤＬ＜Ｌｒｅｆ）かを判断する（Ｓ５１２）。
ＤＬ＜Ｌｒｅｆでなければ（Ｓ５１２のＮＯ）、ドレンＤの排出を継続する。ＤＬ＜Ｌｒｅｆであれば（Ｓ５１２のＹＥＳ）、循環ポンプ１８を停止させ（Ｓ５１３）、注湯回路を確立させる（Ｓ５１４）。
注湯回路から浴槽１４に循環路１２の洗浄を兼ねて一定量の注湯たとえば、浴槽水位３〔ｃｍ〕に相当する水量Ｗ１の注湯を行い（Ｓ５１５）、その後、所定時間循環ポンプ１８を駆動し循環路１２の残留水を排出し（Ｓ５１６）、この処理を終了する。
【００４６】
＜実施例２の効果＞
この実施例２によれば、次の効果が得られる。
(1) ドレンが溜まっていない場合にはドレン排出処理を省略でき、ドレン排出の処理をドレンＤが溜まっている場合のみ行うことができ、処理の効率化を図ることができる。
(2) ドレンタンク１０のドレンレベルＤＬを監視し、ドレンタンク１０に溜められたドレンＤを確実に排出させることができる。
(3) ドレンタンク１０のドレンレベルＤＬを監視し、ドレンタンク１０に溜められたドレンＤを基準レベルである下位レベルＬｒｅｆ未満になるまでの間のみ、循環ポンプ１８を駆動するので、ドレン排出のポンプ駆動時間を最小限に抑えることができる。
【実施例３】
【００４７】
図１４は、実施例３に係る給湯追焚装置４２を示している。この実施例３は、実施例１の給湯追焚装置４２を具体的な実施レベルに構成したものである。
この実施例３では実施例１の燃焼室４４−１、４４−２、給気ファン７６−１、７６−２を単一の燃焼室４４、単一の給気ファン７６に構成し、コンパクト化している。
バーナー５２側には排気口１７８、バーナー５８側には排気口１８０を備え、装置内換気が図られている。
その他の構成は図５と同一であるので、同一部分に同一符号を付し、各部材の説明は割愛する。
【００４８】
＜実施例３の効果＞
この実施例３によれば、既述した一実施の形態、実施例１、実施例２と同様の効果が得られるとともに、装置のコンパクト化に加え、浴槽１４内にドレンＤの残留を防止でき、全自動運転が可能な給湯追焚装置において、浴槽１４内の清浄化を図ることができる。
【００４９】
〔他の実施の形態〕
(1) 上記実施例では、ドレンＤの排出について、実施例１および実施例２を個別に述べているが、これら双方を備えた構成としてよい。
(2) 上記実施例では、給湯および追焚機能について述べているが、本発明は暖房機能を備えた給湯・追焚・暖房装置に適用してもよいし、熱媒加熱装置に適用してもよい。
(3) ドレン排出処理（図７）において、Ｓ２１４では注湯を例示しているが、バーナー燃焼および熱交換を伴うことなく、注湯に代え注水でもよい。
【００５０】
以上説明したように、ドレン排出方法、ドレン排出装置および給湯装置の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００５１】
本発明によれば、浴槽にドレンＤを排出する際、浴槽栓を誤って閉栓しても、注水動作でドレンＤの排出異常を判断でき、その異常をアラートによって告知するので、残留ドレンの不都合を未然に回避することができ、有益である。
【符号の説明】
【００５２】
Ｄ  ドレン
Ｗ  給水
ＨＷ  温水
ＢＷ  浴槽水
２  ドレン排出装置
４  ドレン排出部
６  注水部
８  アラート出力部
１０  ドレンタンク
１２  循環路
１４  浴槽
１６  浴槽栓
１８  循環ポンプ
２０  水流スイッチ
２２  循環口
２４  浴槽水位センサー
２６  浴槽底面
２８  浴槽データテーブル
３０  浴槽情報
３２  水位情報
３２−１  初期水位情報
３２−２  基準水位情報
３２−３  設定水位情報
３４  導入ポート
３６  排出ポート
３８  オーバーフローポート
４０  ドレンレベルセンサー
４２  給湯追焚装置
４４  燃焼室
４４−１  給湯用燃焼室
４４−２  追焚用燃焼室
４８  一次熱交換器
５０  二次熱交換器
５２  バーナー
５４  燃焼排気
５６  熱交換器
５８  バーナー
６０  燃焼排気
６２  燃料ガス供給管
６４  元ガス電磁弁
６６  ガス比例弁
６８  切替電磁弁
７０  ガス電磁弁
７２  切替電磁弁
７４  ガス電磁弁
７６−１、７６−２  給気ファン
８０  給水管
８２  給湯管
８６  バイパス管
８８  注水管
９０  給水温センサー
９２  水量センサー
９６  出湯温センサー
９８  水制御弁
１００  混合温センサー
１０２  バイパス電磁弁
１０４  注湯電磁弁
１０６  注湯量センサー
１０８  逆止弁
１１０  ドレン受け
１１２、１１４  ドレン管
１１３  中和器
１１６  逆止弁
１１８、１２０  温度センサー
１２２  二方弁
１２４  三方弁
１２８  制御部
１３０  給湯制御部
１３２  浴室リモコン制御部
１３４  台所リモコン制御部
１３６、１４６、１６２  プロセッサ
１３８、１４８、１６４  メモリ部
１４０、１５０、１６６  通信部
１４２、１５２、１６８  入出力部
１５４、１７０  自動運転スイッチ
１５６、１７２  ＬＥＤ
１５８、１７４  液晶表示器
１６０、１７６  スピーカー
１７８、１８０  排気口
【図１】
2018200165.tif 000003
【図２】
2018200165.tif 000004
【図３】
2018200165.tif 000005
【図４】
2018200165.tif 000006
【図５】
2018200165.tif 000007
【図６】
2018200165.tif 000008
【図７】
2018200165.tif 000009
【図８】
2018200165.tif 000010
【図９】
2018200165.tif 000011
【図１０】
2018200165.tif 000012
【図１１】
2018200165.tif 000013
【図１２】
2018200165.tif 000014
【図１３】
2018200165.tif 000015
【図１４】
2018200165.tif 000016